(57)【要約】【課題】製造工程や設置現場で動作確認を容易に実施するための点検モードにおいて、点検時間に制約されることなく、また、点検完了次第直ちに通常モードへ移行できるとともに、通常の使用中には不用意に点検モードへ移行せず使用者の意志に即した動作モードを選択することができ、使用者の安心感を高め、使い勝手の良い照明装置を提供する。【解決手段】周囲の環境情報を検知し検知信号を出力するセンサ部と、センサ部からの検知情報が入力され、照明負荷を点灯／消灯制御する制御部を備えた照明装置において、電源投入直後の所定時間内に動作モード移行条件を満たした場合、点検モードへ移行する。動作モード移行条件は、電源遮断の条件もしくはセンサ部入力の条件とする。電源投入直後の所定時間は、センサ部出力が安定するまでの安定待機時間とする。【選択図】図１
2009187853.tif 000002
【特許請求の範囲】
【請求項１】
周囲の環境情報を検知し検知信号を出力するセンサ部と、
前記センサ部からの検知情報が入力され、照明負荷を点灯／消灯制御する制御部を備えた照明装置において、
電源投入直後の所定時間内に動作モード移行条件を満たした場合、点検モードへ移行することを特徴とする照明装置。
【請求項２】
前記動作モード移行条件は、電源遮断の条件であることを特徴とする請求項１記載の照明装置。
【請求項３】
前記動作モード移行条件は、センサ部入力の条件であることを特徴とする請求項１記載の照明装置。
【請求項４】
請求項１記載の照明装置において、動作に関わる各種設定部を備え、前記動作モード移行条件は、設定部の操作条件であることを特徴とする照明装置。
【請求項５】
前記電源投入直後の所定時間は、センサ部出力が安定するまでの安定待機時間であることを特徴とする請求項１、２または４のいずれかに記載の照明装置。
【請求項６】
請求項１〜５のいずれかに記載の照明装置を備えたことを特徴とする照明器具。
【発明の詳細な説明】
【技術分野】
【０００１】
本発明は、人体検知センサや明るさセンサ等のセンサ機能を備えた照明装置及び照明器具に関するものである。
【背景技術】
【０００２】
従来の照明器具Ａとして、図１５に示すように所定の検知エリア内の人体から放射される熱線を検知することで人の存否を検出する焦電型の赤外線センサからなる人センサ部２と、周囲の明るさを検出するフォトＩＣダイオードやフォトダイオード、フォトトランジスタ等からなる明るさセンサ部３と、所定の照明エリア内で照明を行う光源部４と、動作に関わる各種の設定を行うための設定部５と、時間を計時するタイマ部６と、例えばマイクロコンピュータからなり各部の動作を制御する制御部１と、制御部１より出力される制御信号を受けて光源部４を点灯制御する点灯回路部７と、商用電源１１から直流電圧を生成する電源回路部９と、停電を検知する停電検知回路部８を備えているものが提供されている。
【０００３】
動作を簡単に説明すると、明るさセンサ部３によって検出された周囲の照度が予め設定された所定の照度以下であって、人センサ部２が人体を検知したときには、制御部１は点灯回路部７へ点灯制御信号を出力し、点灯回路部７は光源部４を点灯する。さらに、人体検知終了後も設定部５で設定された所定の点灯保持時間分だけタイマ部６で時間を計時し点灯状態を保持する。また、明るさセンサ部３での検出照度が所定照度よりも高くなると、制御部１は光源部４を消灯制御する。前記制御動作を以下、通常モードと呼ぶ。
【０００４】
ここで、通常モードの状態であってスイッチ１０がＯＦＦされると、停電検知回路部８は制御部１へ信号を出力し、制御部１は再びスイッチ１０がＯＮされるまでの時間が所定時間内（例えば０．２秒から２秒）であるかどうかを判定する。スイッチ１０のＯＦＦ時間が所定時間内であれば、明るさセンサ部３と人センサ部２との出力に関係なく制御部１は強制的に光源部４を連続点灯させる制御動作へ移行する。前記制御動作を以下、連続点灯モードと呼ぶ。
【０００５】
前述の照明器具においては、照明器具の動作確認テストを製造工程や設置現場で実施する場合、通常モード時では、人体検知終了後も点灯状態を所定の点灯保持時間分だけ保持するため、点灯保持時間が障害となり、多大な時間を動作確認テストに費やしてしまうという課題がある。
【０００６】
この課題を解決するため、特許文献１（特開平５−２０５８８０号公報）では、電源投入直後から所定時間の間、点灯保持時間が短縮し、所定時間後、通常モードへ自動復帰し、本来の点灯保持時間となる構成のものが提案されている。
【０００７】
また、特許文献２では、電源遮断の条件により動作モードを製造工程や設置現場で動作確認を容易に実施することが可能な点検モードに切替える構成のものが開示されている。この照明器具においては、電源遮断の条件により通常モード、連続点灯モード及び点検モードと順次切替える構成であり、落雷等による誤動作、使用者の意志によらない誤操作等、不測の電源瞬断によっても動作モードが移行してしまう恐れがある。例えば不測の電源遮断によって通常モードから連続点灯モードへ移行した場合、使用者の意志に反して光源部４が点灯し続けてしまうという不都合がある。
【０００８】
この課題を解決するため、特許文献２では、通常モード以外の各動作モードは、動作モードが移行した時を起点とする時限を有し、所定時間後、通常モードへ自動復帰する構成のものが提案されている。
【特許文献１】特開平５−２０５８８０号公報
【特許文献２】特開平１１―８７０７１号公報
【発明の開示】
【発明が解決しようとする課題】
【０００９】
前述の特許文献１のような照明器具において、例えば設置現場において動作確認を実施する場合、点検モードを継続する所定時間内に動作確認を終える必要があり、所定時間の設定時間が短いと動作確認が終了しないうちに通常モードへ自動復帰してしまい、動作確認を引き続き行うためには再度点検モードへの切替えが必要となる。また、点検モードを継続する所定時間の設定時間が長いと、動作確認が終了したにも関わらず点検モードが継続され、通常モードへの自動復帰を待たなければならないこととなる。
【００１０】
一方、設置現場における動作確認時間は設置現場の環境によって様々であり、通常モードへ自動復帰するタイミングと同時に動作確認作業を終えることは非常に難しい。設置現場や製造工程における照明器具の動作確認を実施する頻度は少なく、また通常使用時にはほとんど使用されない不要な動作モードであるが、電源を投入する度に毎回所定時間の間、点灯保持時間が短縮される動作モードを経由して通常モードへ移行するため、時間のロスが生じてしまう。
【００１１】
前述の特許文献２のような電源遮断により動作モードを順次切替える構成の照明器具においては、落雷等による誤動作、使用者の意志によらない誤操作等不測の電源瞬断によって動作モードが移行してしまい、通常モードに自動復帰するまでの所定時間の間ではあるが、使用者の意志とは違った動作モードで動作し、使用者に照明器具が故障した等の誤解、不安感を与えることとなる。
【００１２】
また、前記点検モードは前述のように通常使用時にはほとんど選択されることがない動作モードであり、所定時間後に自動復帰するとはいえ不用意に移行しないことが望ましい。
【００１３】
本発明は上記問題点に鑑みてなされたものであり、その目的とするところは、製造工程や設置現場で動作確認を容易に実施するための点検モードにおいて、点検時間に制約されることなく、また、点検完了次第直ちに通常モードへ移行できるとともに、通常の使用中には不用意に点検モードへ移行せず使用者の意志に即した動作モードを選択することができ、使用者の安心感を高め、使い勝手の良い照明装置を提供することにある。
【課題を解決するための手段】
【００１４】
請求項１の発明は、上述の目的を達成するために、周囲の環境情報を検知し検知信号を出力するセンサ部と、前記センサ部からの検知情報が入力され、照明負荷を点灯／消灯制御する制御部を備えた照明装置において、電源投入直後の所定時間内に動作モード移行条件を満たした場合、点検モードへ移行することを特徴とするものである。
【００１５】
請求項２の発明は、請求項１の発明において、前記動作モード移行条件は、電源遮断の条件であることを特徴とする。
【００１６】
請求項３の発明は、請求項１の発明において、前記動作モード移行条件は、センサ部入力の条件であることを特徴とする。
【００１７】
請求項４の発明は、請求項１の発明において、動作に関わる各種設定部を備え、前記動作モード移行条件は、設定部の操作条件であることを特徴とする。
【００１８】
請求項５の発明は、請求項１、２または４のいずれかの発明において、前記電源投入直後の所定時間は、センサ部出力が安定するまでの安定待機時間であることを特徴とする。
【００１９】
請求項６の発明は、請求項１〜５のいずれかに記載の照明装置を備えた照明器具である。
【発明の効果】
【００２０】
請求項１記載の発明によれば、電源投入直後の所定時間内に動作モード移行条件を満たした場合、点検モードへ移行するので、製造工程や設置現場で動作確認を容易に実施するための点検モードにおいて、点検時間に制約されることがなく、また、点検完了次第、直ちに通常モードへ移行できるとともに、不用意に点検モードへ移行せず使用者の意志に即した動作モードを選択することができ、使用者への安心感を高め、使い勝手の良い照明装置を提供することが可能となる。
【００２１】
請求項２記載の発明によれば、前記動作モード移行条件を電源遮断の条件で行う照明装置において、請求項１記載の発明の効果に加えて、従来の操作性を維持したまま壁スイッチのＯＦＦ／ＯＮ操作により動作モードを容易に切替えることが出来るようになり、使い勝手がさらに良くなるという効果がある。
【００２２】
請求項３または請求項４記載の発明によれば、前記動作モード移行条件を明るさセンサ入力信号または人体検知信号であるセンサ部入力信号もしくは、動作に関わる設定部信号を利用することにより、請求項１記載の発明の効果に加えて、新たな構成部品等を追加することなく容易な操作で実現することが可能となる。
【００２３】
請求項５記載の発明によれば、前記電源投入直後の所定時間が、人体検知素子等のセンサ部の出力が安定するまでの安定待機時間と初期動作モードにおけるタイムアップまでの所定時間を兼用することにより、電源投入後、通常モードへの移行時間を延長することなく、点検モードへの動作選択手段を付加することが可能となる。また、従来あるタイマ部のプログラムが流用でき、マイコン等のプログラムを増やすことなく効率化を図ることも可能である。
【００２４】
請求項６記載の発明によれば、電源投入直後の所定時間内に動作モード移行条件を満たした場合、点検モードへ移行する照明装置を備えた照明器具を提供することが可能となる。
【発明を実施するための最良の形態】
【００２５】
本発明の実施形態を、図面を参照して説明する。
（実施形態１）
本発明の実施形態１の構成図は、図１５に示したものと同様であるので、同一構成には同一符号を付すことにより説明を省略する。
【００２６】
本発明の実施形態１に係る照明装置は、所定の検知エリア内の人体を検知して検知信号を出力する人センサ部２と、周囲の明るさを検出して検出信号を出力する明るさセンサ部３と、時間を計時するタイマ部６と、動作に関わる各種設定を行う設定部５と、前記人センサ部２から人体検知情報が、明るさセンサ部３から周囲の照度情報が入力され、光源部４を点灯／消灯制御する制御部１を備え、前記明るさセンサ部３によって検出された周囲の照度が予め設定された所定の照度以下の場合に、前記人センサ部２が人体を検知したときには前記光源部４を点灯制御し、人体を検知しないときには光源部４を消灯制御する照明装置において、電源投入直後の所定時間内に動作モード移行条件を満たした場合、点検モードへ移行することを特徴とする。
【００２７】
図１は本発明の実施形態１に係る照明装置の制御動作を示すフローチャートであり、図２及び図３はタイムチャートである。
【００２８】
スイッチ１０の開閉により電源１１が電源回路部９に通電され、各部に電源が供給される。電源回路部９は短時間の電源瞬断時にも制御部１の電源供給を維持できる構成となっている。
【００２９】
制御部１へ電源が供給されると、制御部１は、図１の初期モード１ａへ動作モードを移行し、タイマ設定１ｂを行い、タイマカウントダウン１ｃを開始する。制御部１は停電検知回路部８にて電源遮断監視１ｄを行い、タイマアップ１ｅまでの間、継続する。
【００３０】
例えば、点検モードへ動作モードを移行する電源遮断条件を前述の０．２秒から２秒間とした場合、タイマアップ１ｅまでの間の所定時間内に０．２秒から２秒間の電源遮断の有無を監視する。
【００３１】
図２に示すようにタイマアップ２５までの間、所定時間内に電源１１の遮断条件が満たされなかった場合は、使用者が一般的に使用する通常モード１ｈへ移行する。
【００３２】
一方、図３に示すように初期モード中に電源遮断条件が１回以上満たされた場合は、設置現場等で動作確認を実施するための点検モード１ｇへ移行する。
【００３３】
点検モード１ｇはスイッチ１０の開閉により電源１１がＯＦＦされるまで継続され、再度電源１１がＯＮされると図１の初期モード１ａで動作する。
【００３４】
初期モードのタイマアップ２５までの所定時間は、電源遮断条件を満たすことができる時間があれば良く、約１分程度の短時間設定とすることができる。
【００３５】
このように所定時間を有した初期モード中に電源遮断条件が１回以上満たされると、点検モードへ移行するようにしたので、設置現場や製造現場で照明器具の動作確認を実施する点検モードにおいて、所定時間後に通常モードへ自動復帰することがなくなり、個々の設置現場や製造現場に応じた動作確認時間を取ることが可能となり、確認作業者への精神的負担を軽減することができる。
【００３６】
また、動作確認終了後は、電源をＯＦＦし、再度電源をＯＮすることにより通常モードに切替えることができ、自動復帰するまでの待ち時間等もなくなり、動作確認作業の効率化が図れるとともに、通常使用時には不要な動作モードを経由することなく通常モードへ移行し、使用者の使い勝手を向上することができる。
【００３７】
しかも動作モードを移行する条件が電源遮断条件であることより、新たな構成部品等を追加することなく、また、容易な操作で実現することが可能となる。
【００３８】
また、電源投入直後から初期モードのタイマアップまでの所定時間内に電源遮断条件を満たすこと、すなわち、限定された時間において電源遮断条件を満たすことが点検モードへの移行条件となっているので、落雷等による誤動作、使用者の意志によらない誤操作等、不測の電源瞬断で前述の点検モードへの移行条件を満たすことは非常に難しく、使用者の意図せぬ点検モードへの移行を防止することが可能となり、使用者の意志に即した動作モードで照明装置を動作させることができ、使用者への安心感を高めることができる。
【００３９】
（実施形態２）
本発明の実施形態２の構成図は、図１５に示したものと同様であるので、同一構成には同一符号を付すことにより説明を省略する。
【００４０】
図４は本発明の実施形態２に係る照明装置の制御動作を示すフローチャートであり、図５及び図６はタイムチャートである。
【００４１】
前述の実施形態１と同様に、スイッチ１０の開閉により電源１１が電源回路部９に通電され、各部に電源が供給される。
【００４２】
制御部１へ電源が供給されると制御部１は、図４の処理４ａで初期モードへ動作モードを移行し、タイマ設定４ｂを行い、タイマカウントダウン４ｃを開始する。
【００４３】
制御部１は、明るさセンサ部３より入力される周囲の照度情報と予め設定された所定の照度値との比較を行い、所定の照度値より周囲の照度情報値が高い場合は明るさセンサ入力：明判定を行い、所定の照度値より周囲の照度値情報が低い場合は明るさセンサ入力：暗判定を行う。
【００４４】
この明るさセンサ入力：明／暗の判定結果をタイマアップ４ｅまでの間監視し、明／暗の切替え回数が条件を満たすか監視する。
【００４５】
例えば、点検モードへ動作モードを移行する場合の明るさセンサ入力：明／暗の切替え回数条件を３回以上とした場合、タイムアップまでの所定時間内の明るさセンサ入力：明／暗の切替え回数が３回以上であるか、３回未満であるか監視する。
【００４６】
図５の例では、初期モードのタイムアップ５５までの所定時間内に明るさセンサ入力：明／暗の切替えは明のままで１度もないので、初期モード終了後、通常モードへ移行する。
【００４７】
また、図６の例では、初期モードのタイムアップ６５までの所定時間内に明るさセンサ入力：明／暗の切替え回数が３回以上あるので、点検モードへの動作モード移行条件を満たし、初期モード終了後、点検モードへ移行する。
【００４８】
前述の説明では、初期モードのタイムアップまでの所定時間内の明るさセンサ入力：明／暗の切替え回数を動作モード切替え条件としているが、図７に示す照明装置の制御動作フローチャート、図８及び図９のタイムチャートに示すような人体検知信号の人体検知：有／無の切替え回数を、前述の明るさセンサ入力：明／暗信号と同様に使用し、点検モードへの動作モード移行条件としても良い。
【００４９】
また、図１０に示すような照明装置の動作に関わる設定部を有する照明装置において、図１１に示す照明装置の制御動作フローチャート、図１２及び図１３のタイムチャートに示すように、動作に関わる設定部を利用し、設定部信号の変化回数を動作モード切替え条件としても良い。
【００５０】
例えば、点灯保持時間設定部１０ａを使用し、点灯保持時間設定部１０ａの信号変化の回数が初期モードのタイムアップまでの所定時間内に３回以上とした場合、図１２の例では、初期モードのタイムアップ１２５までの所定時間内に点灯保持時間設定部１０ａの信号変化は５秒のままで１度も変化がなく、初期モード終了後、通常モードへ移行する。
【００５１】
また、図１３の例では初期モードのタイムアップまでの所定時間内に５秒と３分の点灯保持時間設定部１０ａの信号変化の回数が３回以上あり、動作モード移行条件を満たすので、初期モード終了後、点検モードへ移行する。
【００５２】
このように、明るさセンサ入力信号や人体検知信号のようなセンサ信号、もしくは、動作に関わる設定部信号を利用することにより、実施形態１と同様に、使用者の意志に即した動作モードで照明装置を動作させることができ、確実な動作モード設定が可能となり、使用者への安心感を高めることができるとともに、個々の設置現場や製造現場に応じた動作確認時間を取ることが可能となり、確認作業者への精神的負担を軽減することができる。
【００５３】
また、新たな構成部品等を追加することなく、容易な操作で実現することが可能となる。
【００５４】
（実施形態３）
本発明の実施形態３の構成図は、図１５に示したものと同様であるので、同一構成には同一符号を付すことにより説明を省略する。
【００５５】
図１４は、本発明の実施形態３に係る照明装置の制御動作を示すフローチャートである。
【００５６】
前述の実施形態１と異なる点を説明する。人体検知素子として焦電型の赤外線センサ素子が多く使用されるが、焦電型の赤外線センサ素子は電源投入直後より一定期間は出力が不安定であるため、焦電型の赤外線センサ素子を使用する際には、素子出力が安定するまでの動作モードとして安定待機モードを有している。通常、焦電型の赤外線センサ素子の動作が安定するまでには、電源投入後、約３０秒から１分間の安定待機時間が必要である。
【００５７】
本実施形態３では、この安定待機モードを図１４に示したように図１の初期モードと兼用することを特徴とするものである。このように、安定待機モードと前述の初期モードにおけるタイムアップまでの所定時間を兼用することにより、電源投入後、通常モードへの移行時間を延長することなく、点検モードへの移行のための動作選択手段を付加することが可能となる。
【００５８】
また、従来から使用しているタイマ部のプログラムがそのまま流用でき、マイコン等のプログラムの変更も少なく効率化を図ることが可能である。
【図面の簡単な説明】
【００５９】
【図１】実施形態１に係る照明装置の電源遮断監視制御動作を示すフローチャートである。
【図２】実施形態１に係る照明装置の電源遮断監視制御動作を示すタイムチャートである。
【図３】実施形態１に係る照明装置の電源遮断監視制御動作を示すタイムチャートである。
【図４】実施形態２に係る照明装置の明るさセンサ入力監視制御動作を示すフローチャートである。
【図５】実施形態２に係る照明装置の明るさセンサ入力監視制御動作を示すタイムチャートである。
【図６】実施形態２に係る照明装置の明るさセンサ入力監視制御動作を示すタイムチャートである。
【図７】実施形態２に係る照明装置の人体検知信号有無監視制御動作を示すフローチャートである。
【図８】実施形態２に係る照明装置の人体検知信号有無監視制御動作を示すタイムチャートである。
【図９】実施形態２に係る照明装置の人体検知信号有無監視制御動作を示すタイムチャートである。
【図１０】実施形態２に係る照明装置の動作に関わる設定部を示す構成図である。
【図１１】実施形態２に係る照明装置の設定部信号の変化回数監視制御動作を示すフローチャートである。
【図１２】実施形態２に係る照明装置の設定部信号の変化回数監視制御動作を示すタイムチャートである。
【図１３】実施形態２に係る照明装置の設定部信号の変化回数監視制御動作を示すタイムチャートである。
【図１４】実施形態３に係る照明装置の制御動作を示すフローチャートである。
【図１５】従来例の照明器具の構成を示すブロック図である。
【符号の説明】
【００６０】
Ａ  照明器具
１  制御部
２  人センサ部
３  明るさセンサ部
４  光源部
５  設定部
６  タイマ部
７  点灯回路部
８  停電検知回路部
９  電源回路部
１０  スイッチ
１１  商用電源
【図１】
2009187853.tif 000003
【図２】
2009187853.tif 000004
【図３】
2009187853.tif 000005
【図４】
2009187853.tif 000006
【図５】
2009187853.tif 000007
【図６】
2009187853.tif 000008
【図７】
2009187853.tif 000009
【図８】
2009187853.tif 000010
【図９】
2009187853.tif 000011
【図１０】
2009187853.tif 000012
【図１１】
2009187853.tif 000013
【図１２】
2009187853.tif 000014
【図１３】
2009187853.tif 000015
【図１４】
2009187853.tif 000016
【図１５】
2009187853.tif 000017